【手続補正書】
【提出日】令和1年8月30日(2019.8.30)
【手続補正１】
【補正対象書類名】特許請求の範囲
【補正対象項目名】全文
【補正方法】変更
【補正の内容】
【特許請求の範囲】
【請求項１】
電気コネクタであって、
第１の側から第２の側に第１の方向に沿って横方向に延在するハウジングと、前記ハウジングは、前記第１の方向に延びたスロットを有し、
前記ハウジング中に配置されている少なくとも１つの信号接触と、
前記ハウジングの前記第１の側および前記第２の側にそれぞれ取り付けられている１組のロックアームとを備え、
各ロックアームはラッチを有し、
前記１組のロックアームは、前記スロット中のクリアランスをブロックするように前記ラッチが位置づけられているロック位置と前記スロット中に前記クリアランスを形成するように前記ラッチが位置づけられているアンロック位置との間で、前記ハウジングに対して弾性的に変形可能である、電気コネクタ。
【請求項２】
前記各ロックアームのラッチは、前記ハウジングの前側に面する傾斜面を有し、
前記スロットに挿入される回路基板の保持部分によって隣接する前記傾斜面上で、前記各ロックアームのラッチは、前記クリアランスを形成するように前記ロック位置から前記アンロック位置に移動し、
前記保持部分が前記傾斜面を通過した後、前記各ロックアームのラッチは、前記クリアランスをブロックするように、前記アンロック位置から前記ロック位置に戻る、請求項１に記載の電気コネクタ。
【請求項３】
前記保持部分が前記傾斜面を通過した後、前記各ロックアームのラッチは、前記回路基板が前記スロットから取り除かれることを防ぐため、前記保持部分を係合するように、前記アンロック位置から前記ロック位置に戻る、請求項２に記載の電気コネクタ。
【請求項４】
前記ハウジングに結合される作動部材をさらに備え、
前記作動部材は、オリジナル位置とたわんだ位置との間で前記ハウジングに対して弾性的に変形可能である１組の作動アームを有し、
前記各ロックアームのラッチは、前記１組の作動アームが前記オリジナル位置にあるとき、前記ロック位置のままであることが可能であり、
前記たわんだ位置に向けて移動されるとき、前記１組の作動アームは、前記１組のロックアームを前記アンロック位置に動かすように前記１組のロックアームに対してバイアスさせる、請求項２に記載の電気コネクタ。
【請求項５】
前記作動部材は、前記１組の作動アームの間を接続する横材をさらに備え、
前記横材は、前記オリジナル位置から前記たわんだ位置に前記１組の作動アームを移動するための外力を受け取る、請求項４に記載の電気コネクタ。
【請求項６】
前記作動部材は、前記横材に接続されている１組の側板をさらに備え、
前記１組の側板は、前記ハウジングに固定して取り付けられ、
前記横材と前記１組の作動アームは、前記１組の側板に対して弾性的に変形可能である、請求項５に記載の電気コネクタ。
【請求項７】
前記ハウジングに移動可能に取り付けられているストッパーをさらに備え、
前記ハウジングと前記横材との間の空間に位置付けられると、前記ストッパーは、前記１組の作動アームが前記オリジナル位置から前記たわんだ位置にたわむこと防ぎ、前記ストッパーが前記空間から取り除かれた後、前記１組の作動アームは、前記オリジナル位置から前記たわんだ位置にたわむことが可能である、請求項６に記載の電気コネクタ。
【請求項８】
前記作動部材は、前記横材に接続されているベース部材をさらに備え、
前記ベース部材は前記ハウジングに固定して取り付けられ、
前記横材と前記１組の作動アームは、前記ベース部材に対して弾性的に変形可能である、請求項５に記載の電気コネクタ。
【請求項９】
前記作動部材は、前記ベース部材から突出し、前記ハウジング中に配置される少なくとも１つのアース端子さらに備える、請求項８に記載の電気コネクタ。
【請求項１０】
前記少なくとも１つのアース端子は、前記スロットの上側に位置付けられているアース接触部分を有し、
前記少なくとも１つの信号端子は、前記スロットの下側に位置付けられている信号接触部分を有する、請求項９に記載の電気コネクタ。
【請求項１１】
前記作動部材は、前記ベース部材に接続され、前記ハウジングに固定して取り付けられている１組の側板をさらに備える、請求項８に記載の電気コネクタ。
【請求項１２】
前記ハウジングに取り付けられ、前記スロットの下側に位置付けられているアース接触部分を有する少なくとも１つのアース端子をさらに備える、請求項１に記載の電気コネクタ。
【請求項１３】
前記少なくとも１つの信号端子は、前記スロットの下側に位置付けられている信号接触部分を有する、請求項１２に記載の電気コネクタ。
【請求項１４】
下方向に向けられた外力で押されたときに、前記下方向に前記１組のロックアームの各々をたわませるように構成された作動部材をさらに備える、請求項１に記載の電気コネクタ。
【手続補正２】
【補正対象書類名】明細書
【補正対象項目名】００２６
【補正方法】変更
【補正の内容】
【００２６】
本発明の実施形態は、添付の図面に関連して図示し、前述の詳細な説明に記載してきたが、本発明は、開示された実施形態に限定されるものではないことを理解すべきである。したがって、説明し、以下の特許請求の範囲によって規定された本発明の精神から逸脱することなく、本発明は、多数の再構成、修正、代替および置換が可能であると理解すべきである。
以下に、本願の出願当初の特許請求の範囲に記載された発明を付記する。
［Ｃ１］
電気コネクタであって、
その中に形成されているスロットを有するハウジングと、
前記ハウジング中に配置されている少なくとも１つの信号接触と、
前記ハウジングに取り付けられている一組のロックアームとを備え、
各ロックアームはラッチを有し、
前記１組のロックアームは、前記スロット中のクリアランスをブロックするように前記ラッチが位置づけられているロック位置と前記スロット中に前記クリアランスを形成するように前記ラッチが位置づけられているアンロック位置との間で、前記ハウジングに対して弾性的に変形可能である、電気コネクタ。
［Ｃ２］
前記各ロックアームのラッチは、前記ハウジングの前側に面する傾斜面を有し、
前記スロットに挿入される回路基板の保持部分によって隣接する前記傾斜面上で、前記各ロックアームのラッチは、前記クリアランスを形成するように前記ロック位置から前記アンロック位置に移動し、
前記保持部分が前記傾斜面を通過した後、前記各ロックアームのラッチは、前記クリアランスをブロックするように、前記アンロック位置から前記ロック位置に戻る、Ｃ１に記載の電気コネクタ。
［Ｃ３］
前記保持部分が前記傾斜面を通過した後、前記各ロックアームのラッチは、前記回路基板が前記スロットから取り除かれることを防ぐため、前記保持部分を係合するように、前記アンロック位置から前記ロック位置に戻る、Ｃ２に記載の電気コネクタ。
［Ｃ４］
前記ハウジングに結合される作動部材をさらに備え、
前記作動部材は、オリジナル位置とたわんだ位置との間で前記ハウジングに対して弾性的に変形可能である１組の作動アームを有し、
前記各ロックアームのラッチは、前記１組の作動アームが前記オリジナル位置にあるとき、前記ロック位置のままであることが可能であり、
前記たわんだ位置に向けて移動されるとき、前記１組の作動アームは、前記１組のロック手段を前記アンロック位置に動かすように前記１組のロックアームに対してバイアスさせる、Ｃ２に記載の電気コネクタ。
［Ｃ５］
前記作動部材は、前記１組の作動アームの間を接続する横材をさらに備え、
前記横材は、前記オリジナル位置から前記たわんだ位置に前記１組の作動アームを移動するための外力を受け取る、Ｃ４に記載の電気コネクタ。
［Ｃ６］
前記作動部材は、前記横材に接続されている１組の側板をさらに備え、
前記１組の側板は、前記ハウジングに固定して取り付けられ、
前記横材と前記１組の作動アームは、前記１組の側板に対して弾性的に変形可能である、Ｃ５に記載の電気コネクタ。
［Ｃ７］
前記ハウジングに移動可能に取り付けられているストッパーをさらに備え、
前記ハウジングと前記横材との間の空間に位置付けられると、前記ストッパーは、前記オリジナル位置から前記たわんだ位置にたわむこと防ぎ、前記ストッパーが前記空間から取り除かれた後、前記１組の作動アームは、前記オリジナル位置から前記たわんだ位置にたわむことが可能である、Ｃ６に記載の電気コネクタ。
［Ｃ８］
前記作動部材は、前記横材に接続されているベース部材をさらに備え、
前記ベース部材は前記ハウジングに固定して取り付けられ、
前記横材と前記１組の作動アームは、前記ベース部材に対して弾性的に変形可能である、Ｃ５に記載の電気コネクタ。
［Ｃ９］
前記作動部材は、前記ベース部材から突出し、前記ハウジング中に配置される少なくとも１つのアース端子さらに備える、Ｃ８に記載の電気コネクタ。
［Ｃ１０］
前記少なくとも１つのアース端子は、前記スロットの上側に位置付けられているアース接触部分を有し、
前記少なくとも１つの信号端子は、前記スロットの下側に位置付けられている信号接触部分を有する、Ｃ９に記載の電気コネクタ。
［Ｃ１１］
前記作動部材は、前記ベース部材に接続され、前記ハウジングに固定して取り付けられている１組の側板をさらに備える、Ｃ８に記載の電気コネクタ。
［Ｃ１２］
前記ハウジングに取り付けられ、前記スロットの下側に位置付けられているアース接触部分を有する少なくとも１つのアース端子をさらに備える、Ｃ１に記載の電気コネクタ。
［Ｃ１３］
前記少なくとも１つの信号端子は、前記スロットの下側に位置付けられている信号接触部分を有する、Ｃ１２に記載の電気コネクタ。